【手続補正書】
【提出日】令和2年9月10日(2020.9.10)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
画像を表示可能な手段であって、複数の演出用可変表示部の各々において演出用識別情報の可変表示を実行可能であるとともに、前記演出用識別情報の可変表示の開始と終了とに同期して前記演出用可変表示部の数と同数の縮小可変表示部において縮小識別情報の可変表示を実行可能な表示手段と、
異常が発生したときに、該異常が発生したことを示す異常表示を前記表示手段に表示させて異常を報知するための処理を行う異常報知処理手段と、
遊技の進行を制御する遊技制御手段と、
前記異常報知処理手段を含み、前記遊技制御手段から出力される情報に基づいて演出を制御する演出制御手段と、
前記演出制御手段から出力される情報に基づいて前記表示手段の表示を制御する表示制御手段と、
を備え、
前記異常報知処理手段は、特定異常が発生して遊技停止状態となったときに、該遊技停止状態であることを示す異常表示を前記表示手段に表示させて報知するための処理が可能であり、
前記表示手段は、前記特定異常が発生して遊技停止状態となったときに前記縮小可変表示部に縮小識別情報を表示せず、遊技停止状態とならない異常に対応した非遊技停止異常表示が表示されているときに前記縮小可変表示部に縮小識別情報を表示し、
前記遊技制御手段は、前記特定異常が発生したことを示す情報を前記演出制御手段に対して繰り返すことなく１回だけ出力し、
前記演出制御手段は、異常表示を表示するための情報を前記表示制御手段に対して所定期間毎に出力する、
ことを特徴とする遊技機。
【手続補正２】
【補正対象書類名】明細書
【補正対象項目名】０００７
【補正方法】変更
【補正の内容】
【０００７】
本発明の手段Ａの遊技機は、
遊技が可能な遊技機（例えば、パチンコ遊技機１）であって、
画像を表示可能な手段であって、複数の演出用可変表示部（例えば、「左」、「中」、「右」の飾り図柄表示エリア１０７ＳＧ００５Ｌ，１０７ＳＧ００５Ｃ，１０７ＳＧ００５Ｒ）の各々において演出用識別情報（例えば、飾り図柄）の可変表示を実行可能であるとともに、前記演出用識別情報の可変表示の開始と終了とに同期して前記演出用可変表示部の数と同数の縮小可変表示部（例えば、「左」、「中」、「右」の小図柄表示エリア）において縮小識別情報（例えば、小図柄）の可変表示を実行可能な表示手段（例えば、画像表示装置１０７ＳＧ００５）と、
異常が発生したときに、該異常が発生したことを示す異常表示（例えば、発生した異常に応じたエラー報知画像）を前記表示手段に表示させて異常を報知するための処理を行う異常報知処理手段（例えば、演出制御用ＣＰＵ１２０が図８−２２、図８−２３に示すエラー報知処理を実行する部分）と、
遊技の進行を制御する遊技制御手段と、
前記異常報知処理手段を含み、前記遊技制御手段から出力される情報に基づいて演出を制御する演出制御手段と、
前記演出制御手段から出力される情報に基づいて前記表示手段の表示を制御する表示制御手段と、
を備え、
前記異常報知処理手段は、特定異常が発生して遊技停止状態となったときに、該遊技停止状態であることを示す異常表示を前記表示手段に表示させて報知するための処理が可能であり（例えば、電波エラー、磁石エラー、遊技球誘導蓋作動エラー等の遊技停止エラーが発生した場合に、ＶＤＰに対して該遊技停止エラーに応じたエラー表示開始指定コマンドを出力して画像表示装置１０７ＳＧ００５に遊技停止エラーに応じたエラー報知画像を表示させる部分）、
前記表示手段は、前記特定異常が発生して遊技停止状態となったときに前記縮小可変表示部に縮小識別情報を表示せず（例えば、図８−３０（Ｂ）に示すように、画像表示装置１０７ＳＧ００５の画面全体に亘ってエラー報知画像が表示されることによって飾り図柄と小図柄とが表示されなくなる部分）、遊技停止状態とならない異常（例えば、始動口２異常入賞エラー、不正入賞エラー、コントローラ接続エラー、ドア開放エラー、球切れエラー等）に対応した非遊技停止異常表示が表示されているときに、前記縮小可変表示部に縮小識別情報を表示し（例えば、図８−３０（Ａ）に示すように、ドア開放エラー等の非遊技停止エラーが発生した場合は、画像表示装置１０７ＳＧ００５における飾り
図柄や小図柄の表示が継続される部分）、
前記遊技制御手段は、前記特定異常が発生したことを示す情報を前記演出制御手段に対して繰り返すことなく１回だけ出力し、
前記演出制御手段は、異常表示を表示するための情報を前記表示制御手段に対して所定期間毎に出力する、
ことを特徴としている。
この特徴によれば、遊技停止状態中において縮小識別情報が意図しない表示動作をしてしまうことを防止できる。
本発明の手段１の遊技機は、
遊技が可能な遊技機（例えば、パチンコ遊技機１）であって、
画像を表示可能な手段であって、複数の演出用可変表示部（例えば、「左」、「中」、「右」の飾り図柄表示エリア１０７ＳＧ００５Ｌ，１０７ＳＧ００５Ｃ，１０７ＳＧ００５Ｒ）の各々において演出用識別情報（例えば、飾り図柄）の可変表示を実行可能であるとともに、前記演出用識別情報の可変表示の開始と終了とに同期して前記演出用可変表示部の数と同数の縮小可変表示部（例えば、「左」、「中」、「右」の小図柄表示エリア）において縮小識別情報（例えば、小図柄）の可変表示を実行可能な表示手段（例えば、画像表示装置１０７ＳＧ００５）と、
異常が発生したときに、該異常が発生したことを示す異常表示（例えば、発生した異常に応じたエラー報知画像）を前記表示手段に表示させて異常を報知する異常報知手段（例えば、演出制御用ＣＰＵ１２０が図８−２２、図８−２３に示すエラー報知処理を実行する部分）と、
を備え、
前記異常報知手段は、特定異常が発生して遊技停止状態となったときに、該遊技停止状態であることを示す異常表示を前記表示手段に表示させて報知することが可能であり（例えば、電波エラー、磁石エラー、遊技球誘導蓋作動エラー等の遊技停止エラーが発生した場合に、ＶＤＰに対して該遊技停止エラーに応じたエラー表示開始指定コマンドを出力して画像表示装置１０７ＳＧ００５に遊技停止エラーに応じたエラー報知画像を表示させる部分）、
前記表示手段は、前記特定異常が発生して遊技停止状態となったときには、前記縮小可変表示部に縮小識別情報を表示しない（例えば、図８−３０（Ｂ）に示すように、画像表示装置１０７ＳＧ００５の画面全体に亘ってエラー報知画像が表示されることによって飾り図柄と小図柄とが表示されなくなる部分）
ことを特徴としている。
この特徴によれば、遊技停止状態中において縮小識別情報が意図しない表示動作をしてしまうことを防止できる。
【手続補正３】
【補正対象書類名】明細書
【補正対象項目名】０００８
【補正方法】変更
【補正の内容】
【０００８】
本発明の手段２の遊技機は、
遊技が可能な遊技機（例えば、パチンコ遊技機１）であって、
画像を表示可能な手段であって、複数の演出用可変表示部（例えば、「左」、「中」、「右」の飾り図柄表示エリア１０７ＳＧ００５Ｌ，１０７ＳＧ００５Ｃ，１０７ＳＧ００５Ｒ）の各々において演出用識別情報（例えば、飾り図柄）の可変表示を実行可能であるとともに、前記演出用識別情報の可変表示の開始と終了とに同期して前記演出用可変表示部の数と同数の縮小可変表示部（例えば、「左」、「中」、「右」の小図柄表示エリア）において縮小識別情報の可変表示を実行可能な表示手段（例えば、画像表示装置１０７ＳＧ００５）と、
電断から復旧したときに、該電断から復旧したことを示す電断復旧表示を前記表示手段に表示させて復旧を報知する復旧報知手段（例えば、演出制御用ＣＰＵ１２０が図８−２７に示す電断復旧画像表示処理を実行して画像表示装置１０７ＳＧ００５に電断復旧画像を表示させる部分）と、
を備え、
前記表示手段は、前記電断復旧表示の表示中においては、前記縮小可変表示部に縮小識別情報を表示しない（例えば、図８−２８及び図８−３１に示すように、画像表示装置１０７ＳＧ００５において電断復旧画像の表示中である場合は、演出制御用ＣＰＵ１２０がＣＰＵ１０３から変動開始指定コマンドを受信するまで飾り図柄と小図柄を表示しない部分）
ことを特徴としている。
この特徴によれば、電断復旧表示の表示中において縮小識別情報が意図しない表示動作をしてしまうことを防止できる。